(57)【要約】【課題】本発明は、寒冷地において積雪や屋根傾斜面の滑雪や融雪による凍結によって、樋受け具の損害や脱落が発生していたことによる樋受本体の強度を完全なものにすることを目的とするものである。【解決手段】本発明は、内側に所定口径の円弧形部２を，外側に適当高さの支板部３を形成して成る樋受本体１において、前記円弧形部には水平に曲折した受止め部を設けるとともにこの受止め部を延長して突片５と掛止め部６を設け、前記支板部の底辺部には前記受止め部と反対方向に水平に曲折した補強部７を設け、前記支板部の基端部の上下両側部に左右方向に分岐した取付羽根１３を設け、この両取付羽根を取付板１４に固着し、前記支板部の底辺部適所に水切溝１６を設けて成るものである。【選択図】　　図１
2004052264.tif 000002
【特許請求の範囲】
【請求項１】
内側に所定口径の円弧形部を，外側に適当高さの支板部を形成して成る樋受本体において、前記円弧形部には水平に曲折した受止め部を設けるとともにこの受止め部を延長して突片と掛止め部を設け、前記支板部の底辺部には前記受止め部と反対方向に水平に曲折した補強部を設け、前記支板部の基端部の上下両側部に左右方向に分岐した取付羽根を設け、この両取付羽根を取付板に固着し、前記支板部の底辺部適所に水切溝を設けて成ることを特徴とする樋受具。
【請求項２】
支板部の上端部に任意形状の通孔を設けて成る請求項１に記載した樋受具。
【請求項３】
取付板の一部に突爪を設けて成る請求項１に記載した樋受具。
【発明の詳細な説明】
【０００１】
【発明の属する技術分野】
本発明は、軒先に施工する雨樋の受け金具に関するものである。
【０００２】
【従来の技術】
従来、雨樋の受け金具は普及していても、特に寒冷地においては積雪や屋根傾斜面の滑雪や融雪による凍結によって、受け金具の折損や脱落が起こっていたため、例えばその一部を改良した製品として実公昭５０−３１９４２号のごとき考案があった。しかし、これでも強度の面では不完全なものであった。
【０００３】
【発明が解決しようとする課題】
そこで、本発明は、従来から存する樋受具の諸欠点を一掃し、実用性の高い製品を提供することを目的とするものである。
【０００４】
【課題を解決するための手段】
本発明は、内側に所定口径の円弧形部を，外側に適当高さの支板部を形成して成る樋受本体において、前記円弧形部には水平に曲折した受止め部を設けるとともにこの受止め部を延長して突片と掛止め部を設け、前記支板部の底辺部には前記受止め部と反対方向に水平に曲折した補強部を設け、前記支板部の上端部に任意形状の通孔を設け、前記支板部の基端部の上下両側部に左右方向に分岐した取付羽根を設け、この雨取付羽根を取付板に固着し、この取付板の一部に突爪を設けて成り、前記支板部の底辺部適所に水切溝を設けて成るものである。
【０００５】
【発明の実施の形態】
いま建物の軒先に本具を取付板を介して取付けたときは、取付板には左右に分岐した取付羽根を介して本具が固着しているから、本具の取付け強度が高くなる。
【０００６】
雨樋体は、樋受本体の支板部上面の円弧形部に水平に曲折した受止め部上に載置するとともに、支板部の底辺部に前記受止め部とは反対方向に水平に曲折した補強部を設けているから、雨樋と雨水や積雪による大重量に対しても、十分耐久力をもった強度を発揮するようになる。
【０００７】
支板部の底辺部適所には水切溝を設けているから、支板部の外側方から底辺部にかけて流れようとする雨水などを、当該部分において断ち切ることにより、家屋の壁面には伝達しないようになる。
【０００８】
取付板の一部に設けた突爪を使用することによって、高所作業における仮取付けを容易に行えるようになる。
【０００９】
また、支板部の上端部には通孔を設けているから、降雪地域で使用する屋根上の融雪金具やアンテナ等の取付けを容易に行えるようになる。
【００１０】
【実施例】
１は内側に所定口径の円弧形部２を形成し、外側に適当高さの支板部３を形成して成る樋受本体。
【００１１】
４は前記樋受本体１の前記円弧形部２に水平に曲折して形成した雨樋体の受止め部で、この受止め部を上方に延長して突片５を形成するとともにその端部には掛止め部６を設ける。この突片５及び掛止め部６は、施工時には曲折して雨樋体を固定抑止するようになる。
【００１２】
７は前記樋受本体１の支板部３の底辺部に前記受止め部４とは反対方向に水平に曲折して形成した補強部で、この補強部の上端に近い支板部３には任意形状の通孔８を設ける。
【００１３】
９は前記樋受本体１の円弧形部２の基端部に連続して設けた凹壷部で、この凹壷部の上方部には抑止部１０を形成する。この部分で、雨樋体の内側部を固定支持する。
【００１４】
１１は前記樋受本体１の支板部３の基部の上側部に形成した比較的短い補強凸部で、この補強凸部から間隔をおいて支板部３の下方部には比較的長い補強凸部１２を形成し、左右両側部に形成する２つの補強凸部によって本体１全体の強度上のバランスをとる。
【００１５】
１３，１３は前記樋受本体１の支板部３の基端部に上下左右両側部に形成した取付羽根で、この両取付羽根の背面部には取付板１４が固着する。この取付羽根１３，１３及び取付板１４には必要な数の取付用ビス孔を設ける。
【００１６】
１５は前記取付板１４の一部に設けた突爪で、この突爪は取付板からの打ち抜きに成る。
【００１７】
１６は前記支板部３の底辺部適所に設けた水切溝で、支板部の外側方から底辺部にかけて流れる雨水を当該部分で断ち切り、内側方向には伝えない。
【発明の効果】
【００１８】
第１に、本具を取付けている取付板には左右に分岐した取付羽根を固着しているから、雨樋体を受け止める取付部の強度が大きくなり、耐久性のある部材となる。
【００１９】
第２に、雨樋体を受け止めている支板部の円弧形部には一方向に曲折した受止め部と支板部の底辺部には他方向に曲折した補強部を構成しているものであるから、雨樋体に雨水や積雪による大重量が負荷されても耐久性の大きい強度を維持することができる。
【００２０】
第３に、支板部の底辺部には水切溝を設けているから、外側方から内側方に流れようとする雨水を断ち切ることができ、破風板や壁面への雨水による腐食作用を未然に防止することができる。
【００２１】
第４に、取付板の一部に設けた突爪を使用することによって、高所作業における仮取付けを容易に行うことができる。
【００２２】
第５に、支板部の上端部に設けた通孔を使用すると、屋根面における融雪金具やアンテナ等の必要な部材の取付けを容易に行うことができる。
【図面の簡単な説明】
【図１】
全体の右側斜視図
【図２】
全体の左側斜視図
【図３】
全体の平面図
【図４】
全体の背斜視図
【図５】
要部の分離状態を示した正斜視図
【符号の説明】
１　　　　　　　　樋受本体
２　　　　　　　　円弧形部
３　　　　　　　　支板部
４　　　　　　　　受止め部
５　　　　　　　　突片
６　　　　　　　　掛止め部
７　　　　　　　　補強部
８　　　　　　　　通孔
１３，１３　　　　取付羽根
１４　　　　　　　取付板
１５　　　　　　　突爪
１６　　　　　　　水切溝
【図１】
2004052264.tif 000003
【図２】
2004052264.tif 000004
【図３】
2004052264.tif 000005
【図４】
2004052264.tif 000006
【図５】
2004052264.tif 000007